(57)【要約】    【課題】  Ｚ折りによるウォーターマークの印刷位置の不整合の問題を解決し、Ｚ折りを考慮してウォーターマークの印刷位置を設定する。    【解決手段】  アプリケーション１１において文書情報を印刷する際に、プリンタ・ドライバ１２のＵＩ処理モジュール１３においてＺ折りを設定した際に、Ｚ折り後における視認可能領域と視認不可能領域を考慮したウォーターマークの描画位置あるいは文書情報のページごとの配置を設定し、アプリケーション１１において文書情報の印刷を開始すると、文書情報のデータにＵＩ処理モジュール１３がユーザ設定データを付加して、印刷処理モジュール１４に出力し、印刷処理モジュール１４において、ページ配置モジュール１５あるいはウォーターマーク付与モジュール１６を使用して文書のページを配置するとともにウォーターマークを設定位置に付与することにより印刷データを作成し、印刷データをプリンタ７に送信する。【選択図】    図２
2005079818.tif 000002
【特許請求の範囲】
【請求項１】
印刷情報を印刷装置が解釈可能な印刷データに変換して印刷装置に出力する印刷制御装置において、
印刷後の用紙をＺ形状に折りたたみ、印刷内容の一部を視認不可能にすることを想定して、用紙上における印刷情報の印刷位置を設定するＺ折り設定手段と、このＺ折り設定手段が設定された場合に設定可能になり、用紙上における印刷データに付与する画像データの指定および描画位置の設定を行う画像データ設定手段を有することを特徴とする印刷制御装置。
【請求項２】
画像データを描画する位置として、Ｚ折り後に視認可能な領域を設定可能にしたことを特徴とする請求項１記載の印刷制御装置。
【請求項３】
画像データを描画する位置として、Ｚ折り後に視認不可能な領域を設定可能にしたことを特徴とする請求項１記載の印刷制御装置。
【請求項４】
画像データを描画する位置として、Ｚ折り後に視認可能な領域と視認不可能な領域とを設定可能にし、視認可能な領域または視認不可能な領域の画像データを編集する手段を有することを特徴とする請求項１記載の印刷制御装置。
【請求項５】
画像データを描画する位置として、Ｚ折り後に視認可能な領域と視認不可能な領域との境界となる折り目上を設定可能にしたことを特徴とする請求項１記載の印刷制御装置。
【請求項６】
Ｚ折り後の視認可能な領域または視認不可能な領域に画像データを描画した印刷情報を配置し、この領域以外の領域には画像データを描画していない同一の印刷情報を配置可能にしたことを特徴とする請求項１記載の印刷制御装置。
【請求項７】
画像データを描画した領域とそれ以外の領域とに同一の印刷情報を配置可能にしたことを特徴とする請求項５記載の印刷制御装置。
【請求項８】
前記画像データがウォーターマークであることを特徴とする請求項１〜７のいずれか１項記載の印刷制御装置。
【請求項９】
印刷情報を印刷装置が解釈可能な印刷データに変換して印刷装置に出力するようにコンピュータを機能させる印刷制御用プログラムにおいて、
印刷後の用紙をＺ形状に折りたたみ、印刷内容の一部を視認不可能にすることを想定して、用紙上における印刷情報の印刷位置を設定する機能と、このＺ折り設定手段が設定された場合に設定可能になり、用紙上における印刷データに付与する画像データの指定および描画位置の設定を行う機能とをコンピュータに実現させる印刷制御用プログラム。
【請求項１０】
画像データを描画する位置として、Ｚ折り後に視認可能な領域を設定可能にしたことを特徴とする請求項９記載の印刷制御用プログラム。
【請求項１１】
画像データを描画する位置として、Ｚ折り後に視認不可能な領域を設定可能にしたことを特徴とする請求項９記載の印刷制御用プログラム。
【請求項１２】
画像データを描画する位置として、Ｚ折り後に視認可能な領域と視認不可能な領域とを設定可能にし、視認可能な領域または視認不可能な領域の画像データを編集する手段を有することを特徴とする請求項９記載の印刷制御用プログラム。
【請求項１３】
画像データを描画する位置として、Ｚ折り後に視認可能な領域と視認不可能な領域との境界となる折り目上を設定可能にしたことを特徴とする請求項９記載の印刷制御用プログラム。
【請求項１４】
Ｚ折り後の視認可能な領域または視認不可能な領域に画像データを描画した印刷情報を配置し、この領域以外の領域には画像データを描画していない同一の印刷情報を配置可能にしたことを特徴とする請求項９記載の印刷制御用プログラム。
【請求項１５】
画像データを描画した領域とそれ以外の領域とに同一の印刷情報を配置可能にしたことを特徴とする請求項１３記載の印刷制御用プログラム。
【請求項１６】
前記画像データがウォーターマークであることを特徴とする請求項９〜１５のいずれか１項記載の印刷制御用プログラム。
【請求項１７】
請求項９〜１５のいずれか１項記載の印刷制御用プログラムを記憶したことを特徴とするコンピュータ読み取り可能な記憶媒体。
【発明の詳細な説明】
【技術分野】
【０００１】
本発明は、ホストコンピュータと画像形成装置とからなる画像形成システムに適用される、印刷制御装置，印刷制御用プログラムおよびコンピュータ読み取り可能な記憶媒体に関する。
【背景技術】
【０００２】
従来、特許文献１に記載された技術のように、画像形成装置から出力された用紙をＺ折りして出力する紙折り装置が提案されている。また、このような装置を使用して画像印刷を行う場合、例えば、集約印刷機能を使用して、折り目によって区分けされた領域ごとに印刷領域を設定して出力させることにより、レイアウトが整った印刷結果を得ることが可能である。また従来、特許文献２に記載された技術のように、Ｚ折りを想定した印刷制御装置も提案されている。
【特許文献１】特開２００１−１７１９０７号公報
【特許文献２】特開２００２−７９７２７号公報
【発明の開示】
【発明が解決しようとする課題】
【０００３】
しかしながら、印刷後に用紙をＺ折りして保存した場合、見えない部分に重要な情報が隠れてしまい、後で閲覧する場合に用意に発見できない場合がある。あるいはその逆で、見せたくない情報をＺ折りの見えない部分に隠したいのに、レイアウトの問題でうまく隠せない場合がある。また、Ｚ折りを行うと折り目がついてしまうので、保存文書として適さない物となってしまう場合もある。
【０００４】
ところで、重要文書であれば「重要」、極秘文書であれば「極秘」等、書類に応じてウォーターマークを入れることは、通常、よく行われることである。近年、このようなウォーターマークを追加する機能をプリンタドライバに持たせることにより、文書作成用のアプリケーションソフトウェアの機能によらずに、ウォーターマークを印刷することが可能になっている。
【０００５】
Ｚ折りを想定した印刷においてウォーターマークを付与する場合には、ウォーターマークの配置によってはウォーターマークが見えなくなったり、あるいは途切れたりするなど、ウォーターマークによる情報の伝達性が損なわれる場合がある。あるいは、ウォーターマークによって全体の見栄えが損なわれるおそれもある。
【０００６】
本発明は、Ｚ折りによるウォーターマークの印刷位置の不整合の問題を解決し、Ｚ折りを考慮したウォーターマーク印刷をすることを実現した印刷制御装置，印刷制御用プログラムおよびコンピュータ読み取り可能な記憶媒体を提供することを目的とする。
【課題を解決するための手段】
【０００７】
前記目的を達成するため、請求項１に係る発明は、印刷情報を印刷装置が解釈可能な印刷データに変換して印刷装置に出力する印刷制御装置において、印刷後の用紙をＺ形状に折りたたみ、印刷内容の一部を視認不可能にすることを想定して、用紙上における印刷情報の印刷位置を設定するＺ折り設定手段と、このＺ折り設定手段が設定された場合に設定可能になり、用紙上における印刷データに付与する画像データの指定および描画位置の設定を行う画像データ設定手段を有することを特徴とする。
【０００８】
請求項２に係る発明は、請求項１に係る発明において、画像データを描画する位置として、Ｚ折り後に視認可能な領域を設定可能にしたことを特徴とする。
【０００９】
請求項３に係る発明は、請求項１に係る発明において、画像データを描画する位置として、Ｚ折り後に視認不可能な領域を設定可能にしたことを特徴とする。
【００１０】
請求項４に係る発明は、請求項１に係る発明において、画像データを描画する位置として、Ｚ折り後に視認可能な領域と視認不可能な領域とを設定可能にし、視認可能な領域または視認不可能な領域の画像データを編集する手段を有することを特徴とする。
【００１１】
請求項５に係る発明は、請求項１に係る発明において、画像データを描画する位置として、Ｚ折り後に視認可能な領域と視認不可能な領域との境界となる折り目上を設定可能にしたことを特徴とする。
【００１２】
請求項６に係る発明は、請求項１に係る発明において、Ｚ折り後の視認可能な領域または視認不可能な領域に画像データを描画した印刷情報を配置し、この領域以外の領域には画像データを描画していない同一の印刷情報を配置可能にしたことを特徴とする。
【００１３】
請求項７に係る発明は、請求項５に係る発明において、画像データを描画した領域とそれ以外の領域とに同一の印刷情報を配置可能にしたことを特徴とする。
【００１４】
請求項８に係る発明は、請求項１〜７に係る発明において、前記画像データがウォーターマークであることを特徴とする。
【００１５】
請求項９に係る発明は、印刷制御用プログラムにおいて、印刷情報を印刷装置が解釈可能な印刷データに変換して印刷装置に出力するようにコンピュータを機能させる印刷制御用プログラムにおいて、印刷後の用紙をＺ形状に折りたたみ、印刷内容の一部を視認不可能にすることを想定して、用紙上における印刷情報の印刷位置を設定する機能と、このＺ折り設定手段が設定された場合に設定可能になり、用紙上における印刷データに付与する画像データの指定および描画位置の設定を行う機能とをコンピュータに実現させるものである。
【００１６】
請求項１０に係る発明は、請求項９に係る発明において、画像データを描画する位置として、Ｚ折り後に視認可能な領域を設定可能にしたことを特徴とする。
【００１７】
請求項１１に係る発明は、請求項９に係る発明において、画像データを描画する位置として、Ｚ折り後に視認不可能な領域を設定可能にしたことを特徴とする。
【００１８】
請求項１２に係る発明は、請求項９に係る発明において、画像データを描画する位置として、Ｚ折り後に視認可能な領域と視認不可能な領域とを設定可能にし、視認可能な領域または視認不可能な領域の画像データを編集する手段を有することを特徴とする。
【００１９】
請求項１３に係る発明は、請求項９に係る発明において、画像データを描画する位置として、Ｚ折り後に視認可能な領域と視認不可能な領域との境界となる折り目上を設定可能にしたことを特徴とする。
【００２０】
請求項１４に係る発明は、請求項９に係る発明において、Ｚ折り後の視認可能な領域または視認不可能な領域に画像データを描画した印刷情報を配置し、この領域以外の領域には画像データを描画していない同一の印刷情報を配置可能にしたことを特徴とする。
【００２１】
請求項１５に係る発明は、請求項１３に係る発明において、画像データを描画した領域とそれ以外の領域とに同一の印刷情報を配置可能にしたことを特徴とする。
【００２２】
請求項１６に係る発明は、請求項９〜１５のいずれか１項に係る発明において、前記画像データがウォーターマークであることを特徴とする。
【００２３】
請求項１７に係る発明は、コンピュータ読み取り可能な記憶媒体において、請求項９〜１５のいずれか１項記載の印刷制御用プログラムを記憶したことを特徴とする。
【発明の効果】
【００２４】
以上、説明したように構成された本発明によれば、用紙をＺ折りした状態でも、ユーザは用紙に付加したウォーターマークなどの画像を容易に読み取ることができるようになり、印刷した文書を捜すことが容易になる。または、用紙をＺ折りした状態では、ユーザは用紙に付加したウォーターマークなどの情報を容易に隠すことができるようになり、文書保存時の見栄えを考慮することができるようになる。
【発明を実施するための最良の形態】
【００２５】
以下、本発明の実施形態について、図面を参照しながら詳細に説明する。
【００２６】
図１は本発明の実施形態を説明するための印刷システムを示す説明図であり、１はホストコンピュータを示し、このホストコンピュータ１には、ＣＰＵ２、ＨＤＤ３、ＲＡＭ４、ＣＤ−ＲＯＭドライブ５、Ｉ／Ｆ６が搭載されており、このＩ／Ｆ６に、印字出力機器としてのプリンタ７のＩ／Ｆ８接続されている。さらに、プリンタ７には紙折り装置９が取り付けられており、プリンタ７によって印字出力された用紙は紙折り装置９によってＺ折りされて外部に排紙される。
【００２７】
ＨＤＤ３には、文書や画像を作成するためのアプリケーションソフトウェア（以下、単にアプリケーションと称する）や、これらのアプリケーションによって作成された印刷データを、プリンタ７において解釈可能なデータに変換してプリンタ７に出力する、一般にプリンタ・ドライバと称されるプログラムが導入されている。これらのプログラムに基づいてＣＰＵ２が各種の処理を行うことにより、ホストコンピュータ１が文書作成装置としての機能を果たしたり、印刷制御装置としての機能を果たしたりするようになる。また、このような各種プログラムは、プログラムを記憶しているＣＤ−ＲＯＭ、ＦＤのような外部記憶媒体あるいはインターネットを介して入手可能である。外部記憶媒体の場合には各種プログラムをＨＤＤ３に導入するための導入プログラムも一緒に記憶されている場合もある。
【００２８】
図２はホストコンピュータに導入されているプリンタ・ドライバの機能を説明するためのブロック図であり、１１は文書や画像を作成するためのアプリケーション、１２はプリンタ・ドライバを示し、プリンタ・ドライバ１２には、ユーザが、ウォーターマーク付与や、集約、拡大／縮小等の機能設定、さらにソータや紙折り装置９の詳細設定等を行うためのＵＩ処理モジュール１３、ホストコンピュータ１内のアプリケーションからの印刷要求およびＵＩ処理モジュール１３からの要求を処理する印刷処理モジュール１４、印刷処理モジュール１４から呼び出され、印刷時にページの配置を決定するページ配置モジュール１５、印刷処理モジュール１４から呼び出され、印刷物に対してウォーターマークの付与を行うウォーターマーク付与モジュール１６が備えられている。
【００２９】
アプリケーション１１によって作成された文書をプリンタ７に印字出力させる場合、文書データはプリンタ・ドライバ１２を介して所定の処理が施されてプリンタ７に出力される。プリンタ・ドライバ１２においては、ＵＩ処理モジュール１３によって文書データに各種ユーザ設定のデータを付加して印刷処理モジュール１４に出力する。印刷処理モジュール１４においては文書データをＲＡＭ４に展開してプリンタ７において解釈可能なデータに変換する。ここで、ＵＩ処理モジュール１３から各種ユーザ設定のデータが送られた場合、例えば集約印刷が設定された場合には、ページ配置モジュール１５にしたがって１ページ分の文書データが加工され、所定のレイアウトに展開される。ウォーターマークの付与が設定された場合には、ウォーターマーク付与モジュール１６にしたがってウォーターマークが、指定の位置に付与される。
【００３０】
図３はプリンタ・ドライバにおける印刷機能の設定画面の一例を示す説明図であり、図３においては、通常印刷の他に、スタンプ、Ｚ折り、Ｚ折りサムネール、Ｚ折り可視部スタンプ、集約等の機能が用意されており、アイコンをクリックするか、あるいは印刷方法のプルダウンボタンをクリックすることにより、印刷機能の選択が行われる。なお、各種印刷機能を詳細に設定する場合には、印刷方法の詳細のアイコンをクリックすることにより、設定メニューが表示され、このメニューを介して各種の設定入力が可能になる。そして文書の印刷開始時に、設定メニューにおいて選択された機能に対応する設定データがＵＩ処理モジュール１３から出力される。
【００３１】
例えば、図３において、Ｚ折りのアイコンをクリックするかあるいは印刷方法のプルダウンメニューからＺ折りを選択し、印刷方法の詳細のアイコンをクリックして設定メニューを表示した場合、その設定メニューにおいて、ウォーターマークの種類、印字位置、印字色、印字濃度等の設定およびウォーターマークの編集、さらに文書データのページごとの印字位置の設定（集約印刷の設定）、折り線の印字の可否、線種、山折り／谷折りの印字の可否等の設定が行われる。また、設定メニューには、これらの設定内容を図３に示すワンクリック設定アイコンとして登録するキーが備えられており、登録した場合には、以降、ワンクリック設定アイコンをクリックすることによって自動設定が行われる。ここで、ワンクリック設定アイコンは、各種の設定内容を反映した画像として自動編集される。
【００３２】
図４は文書データを印刷する際の処理を示すフローチャートである。図４のフローチャートに示すように、ホストコンピュータ１上で動作するアプリケーションから印刷要求があった場合において、ＵＩ処理モジュール１３にＺ折りでかつウォーターマークの付与が指定されている場合には、印刷処理モジュール１４が、ページ配置モジュール１５を使用して描画位置を算出して、その位置に印刷ページを配置するように文書データを展開する。さらにウォーターマーク付与モジュール１６を使用して、ウォーターマークを配置する位置を算出し、ウォーターマークを作成し、この作成したウォーターマークを文書データにおける所定の位置に配置して、ウォーターマークを付与した印刷データを作成し、この印刷データをプリンタ７に送信することにより、ホストコンピュータ１側の処理が終了する。
【００３３】
ここで、本実施形態におけるＺ折りは、用紙の中央を谷折りとし、この谷折りによって分割された一方の領域を山折りとすることにより、用紙を１／２のサイズにすることを想定したものである。そのため、図５に示すように、用紙を折り方向に平行な線によって４等分の領域Ａ，Ｂ，Ｃ，Ｄに分割した場合に、両端部の領域Ａ，Ｄが視認可能となり、中央の領域Ｂ，Ｃが視認不可能となる。
【００３４】
図６は出力結果の例を示す説明図であり、図６（ａ）はＺ折りの視認可能部分のみにウォーターマークを付与した場合を示すものである。印刷処理モジュール１４は、ページ配置モジュール１５を使用して描画位置を算出し、ウォーターマーク付与モジュール１６を使用して、Ｚ折りの視認可能部分のみにウォーターマークを付与した印刷データを作成してプリンタ７に送信する。ウォーターマーク付与モジュール１６においては、指定したウォーターマークを、折り方向に平行な線によって２等分し、一方を領域Ａに、他方を領域Ｄに付与する処理が行われる。その結果、Ｚ折りした際に、「極秘」というウォーターマークが再現される。
【００３５】
このような印刷処理によって、用紙をＺ折りした状態でも、ユーザは用紙に付加したウォーターマークを容易に読み取ることができるようになり、印刷した文書を捜すことが容易になる。
【００３６】
図６（ｂ）はＺ折りの視認不可能部分のみにウォーターマークを付与した場合を示すものである。印刷処理モジュール１４は、ページ配置モジュール１５を使用して描画位置を算出し、ウォーターマーク付与モジュール１６を使用して、Ｚ折りの視認不可能のみにウォーターマークを付与した印刷データを作成してプリンタ７に送信する。ウォーターマーク付与モジュール１６においては、領域Ｂと領域Ｃとの間、すなわち谷折り線上にウォーターマークの中央部が位置するようにウォーターマークを付与する処理が行われる。その結果、Ｚ折りした際に、「極秘」というウォーターマークが見えなくなる。
【００３７】
このような印刷処理によって、用紙をＺ折りした状態では、ユーザは用紙に付加したウォーターマークなどの情報を容易に隠すことができるようになり、印刷文書保存時の見栄えを考慮することができるようになる。
【００３８】
図６（ｃ）は、Ｚ折りの視認不可能部分と視認不可能部分に、指定された濃度でウォーターマークを付与した場合を示すものである。印刷処理モジュール１４は、ページ配置モジュール１５を使用して描画位置を算出し、ウォーターマーク付与モジュール１６を使用して、Ｚ折りの視認可能部分と視認不可能部分に指定された濃度でウォーターマークを付与した印刷データを作成してプリンタ７に送信する。ウォーターマーク付与モジュール１６においては、ウォーターマークを折り方向に平行な線によって２等分し、一方を領域Ａに、他方を領域Ｄに付与する処理が行われる。さらに、同じウォーターマークを編集し、濃度を変えて領域Ｂと領域Ｃとの間、すなわち谷折り線上にウォーターマークの中央部が位置するように付与する処理が行われる。ここで、Ｚ折りをした場合における領域Ａ，Ｄのウォーターマークの位置と、開いた場合における領域Ｂ，Ｃのウォーターマークの位置とが同じになるように、ウォーターマークが付与される。その結果、Ｚ折りしても、開いても、「極秘」というウォーターマークが見えるようになる。なお、図６（ｃ）に示す例では同じウォーターマークを使用したが、視認可能領域と視認不可能領域において違うウォーターマークを設定することも可能である。
【００３９】
このような印刷処理によって、用紙をＺ折りした状態に対して、ユーザは、用紙に付加したウォーターマークの濃度や色を、領域別に変えられることで、容易に読み取ることができるようになり、かつ、見栄えを考慮することができるようになる。
【００４０】
図６（ｄ）はＺ折りの折込部分にのみにウォーターマークを付与した場合を示すものである。印刷処理モジュール１４は、ページ配置モジュール１５を使用して描画位置を算出し、ウォーターマーク付与モジュール１６を使用して、Ｚ折りの折込部分にのみにウォーターマークを付与した印刷データを作成してプリンタ７に送信する。ウォーターマーク付与モジュール１６においては、領域Ｃと領域Ｄとの間、すなわち山折り線上にウォーターマークの中央部が位置するように付与する処理が行われる。その結果、折り目のある領域にのみウォーターマークが付与され、Ｚ折りした際に、「秘」という文字だけが視認可能になる。
【００４１】
なお、図６（ｄ）に示す例においては、折り込み部分の領域すなわち領域Ｃと領域Ｄとの間ウォーターマークを付与する処理を行ったが、それに限らず、折り込み部分のない領域すなわち領域Ａと領域Ｂとの間にウォーターマークを付与する処理を行い、Ｚ折りした際に、「極」という文字だけが視認可能になるように設定することも可能である。
【００４２】
このような印刷処理によって、用紙をＺ折りした状態に対して、ウォーターマーク等の付加情報を折り込み部分にのみ印刷することにより、ユーザは、用紙を、折り目やウォーターマーク等の付加情報を追加できる部分と、そうではない部分とに領域を分けることができるようになる。これにより領収証などに使用することが可能となる。
【００４３】
図６（ｅ）は同一ページがＺ折り後の視認可能部分と視認不可能部分に配置されるように印刷データの配置を行い、Ｚ折りの視認不可能部分にのみ(またはその逆)にウォーターマークを付与した場合を示すものである。印刷処理モジュール１４は、ページ配置モジュール１５を使用して描画位置を算出し、同一ページがＺ折り後の視認可能部分と視認不可能部分に配置されるように印刷データの配置を行う。また、ウォーターマーク付与モジュール１６を使用して、Ｚ折りの視認不可能部分にのみにウォーターマークを付与した印刷データが作成され、再配置した印刷データとともにプリンタ７に送信される。ウォーターマーク付与モジュール１６においては、図６（ｂ）に示すようにウォーターマークを付与する処理が行われる。ページ配置モジュール１５においては、視認可能部分と視認不可能部分とに同じ文書データを印刷する処理が行われる。すなわち、１ページ分の文書データを展開して領域Ｂ，Ｃに配置するとともに、同じ１ページ分の文書データを展開し、２等分して一方を領域Ａに配置し、他方を領域Ｄに配置される。Ｚ折りをしたときにはウォーターマークがない文書が再現されるが、Ｚ折りを開いた場合には「極秘」というウォーターマークが付与された同じ文書が現れる。
【００４４】
なお、図６（ｅ）に示す例においては、図６（ｂ）に示すようにウォーターマークを付与する処理が行われるが、図６（ａ）に示すようにウォーターマークを付与する処理が行って、Ｚ折りをしたときには「極秘」というウォーターマークを有する文書が再現され、Ｚ折りを開いた場合にはウォーターマークがない同じ文書が現れるように設定することも可能である。
【００４５】
このような印刷処理によって、１枚の用紙に同じ文書を印刷し、保存時のインデックスとして視認可能部分を使用することにより、保存時の見栄えを考慮しつつ、そうでない部分にウォーターマークを付加することで複製防止などの目的も達することができる。
【００４６】
図６（ｆ）は同一ページがＺ折り部分と非Ｚ折り部分に配置されるように印刷データの配置を行い、Ｚ折りの部分にのみ(またはその逆)にウォーターマークを付与した場合を示すものである。印刷処理モジュール１４は、ページ配置モジュール１５を使用して描画位置を算出し、同一ページがＺ折り部分と非Ｚ折り部分に配置されるように印刷データの配置を行い、ウォーターマーク付与モジュール１６を使用して、Ｚ折りの部分にのみにウォーターマークを付与した印刷データを作成し、再配置した印刷データとともにプリンタ７に送信する。ウォーターマーク付与モジュール１６においては、図６（ｄ）に示すようにウォーターマークを付与する処理が行われる。ページ配置モジュール１５においては、Ｚ折り部分と非Ｚ折り部分とに同じ文書データを印刷する処理が行われる。すなわち、１ページ分の文書データを展開して領域Ａ，Ｂ、および領域Ｃ，Ｄに並べて配置される。その結果、谷折り部分を境として両側に同じ文書が印刷され、山折りを有する側の文書上に「極秘」というウォーターマークが付与され、Ｚ折りをした場合にはきには「秘」という文字が視認可能状態になる。
【００４７】
なお、図６（ｆ）に示す例においては、折り線を有する領域Ｃ，Ｄにウォーターマークを付与したが、それに限らず、折り線がない領域Ａ，Ｂにウォーターマークを付与して「極」という文字が視認可能状態になるように設定することも可能である。
【００４８】
このような印刷処理によって、１枚の用紙に同じ文書を印刷し、保存用文書として折り目の無い部分を使用し、折り目のある部分にウォーターマークを付加することで複製防止などの目的も達することができる。
【００４９】
以上、本実施形態について説明したが、本発明に係る実施形態は、上述したものに限るものではない。例えば、上述した例は、ウォーターマークを付与するものであるが、その代わりに、背景画像を付与したり、複写機の読み取り解像度の最小ドットよりも小さいドットのパターンと読み取り解像度の最小ドットよりも大きいドットのパターンとを組み合わせ、通常は目立たないが複写すると大きいドットのみが印刷されて所定のパターンが視認可能状態となるいわゆる地紋を付与しても良い。
【００５０】
また、Ｚ折りについては、図５に示す折り方に限るものではなく、図７に示すように、用紙中央の谷折り部分から山折り部分までの長さを、山折り部分から用紙端部までの長さよりも長くなるように設定しても良い。なお、図７においては、谷折り部分から用紙端部までの距離の１／４の長さの位置を山折りしており、この場合は、図５に示す折り方に比較して、視認可能領域が１／２に減る分視認不可能領域が増える。
【図面の簡単な説明】
【００５１】
【図１】本発明の実施形態を説明するための印刷システムを示す説明図
【図２】ホストコンピュータに導入されているプリンタ・ドライバの機能を説明するためのブロック図
【図３】プリンタ・ドライバにおける印刷機能の設定画面の一例を示す説明図
【図４】文書データを印刷する際の処理を示すフローチャート
【図５】Ｚ折りを示す説明図
【図６】出力結果の例を示す説明図
【図７】Ｚ折りの他の例を示す説明図
【符号の説明】
【００５２】
１  ホストコンピュータ
２  ＣＰＵ
３  ＨＤＤ
４  ＲＡＭ
５  ＣＤ−ＲＯＭドライブ
６  Ｉ／Ｆ
６ａ  入出力ポート
７  プリンタ
８  Ｉ／Ｆ
８ａ  入出力ポート
９  紙折り装置
１１  アプリケーション
１２  プリンタ・ドライバ
１３  ＵＩ処理モジュール
１４  印刷処理モジュール
１５  ページ配置モジュール
１６  ウォーターマーク付与モジュール
【図１】
2005079818.tif 000003
【図２】
2005079818.tif 000004
【図３】
2005079818.tif 000005
【図４】
2005079818.tif 000006
【図５】
2005079818.tif 000007
【図６】
2005079818.tif 000008
【図７】
2005079818.tif 000009